(57)【要約】【課題】物理層データチャネル（ＰＵＳＣＨ、ＰＤＳＣＨ）用の無線リソースの利用効率を向上させることを図る。【解決手段】ＰＤＳＣＨ割当部１１及びＰＵＳＣＨ割当部１２が、それぞれに、物理層データチャネルの割当候補端末を１回の通知で１つだけＰＤＣＣＨ割当部１０へ通知し（ステップＳ１０１）、ＰＤＳＣＨ割当部１１及びＰＵＳＣＨ割当部１２が、それぞれに、ＰＤＣＣＨ割当部１０から通知された一割当候補端末に係るＰＤＣＣＨ割当結果に基づいて該一割当候補端末に対する物理層データチャネルの割り当て可否を判定し（ステップＳ１０４）、ＰＤＳＣＨ割当部１１及びＰＵＳＣＨ割当部１２が、それぞれに、一割当候補端末に係るＰＤＣＣＨ割当結果に基づいて、ＰＤＣＣＨ割当部１０へ通知する次の一割当候補端末を判定する（ステップＳ１００）。【選択図】図２
2011029769.tif 000002
【特許請求の範囲】
【請求項１】
無線端末に対して物理層データチャネルの割り当てを行うデータチャネル割当部と、物理層データチャネルの割当候補の無線端末に対して物理層データチャネル情報を伝達する下り物理層制御チャネルの割り当てを行う制御チャネル割当部とを備えるチャネル割当装置において、
前記データチャネル割当部は、
物理層データチャネルの割当候補端末を１回の通知で１つだけ前記制御チャネル割当部へ通知する割当候補端末通知手段と、
前記制御チャネル割当部から通知された一割当候補端末に係る下り物理層制御チャネル割当結果に基づいて、該一割当候補端末に対する物理層データチャネルの割り当て可否を判定するデータチャネル割当判定手段と、
前記一割当候補端末に係る下り物理層制御チャネル割当結果に基づいて、前記制御チャネル割当部へ通知する次の一割当候補端末を判定する割当候補端末判定手段と、を有し、
前記制御チャネル割当部は、
前記データチャネル割当部から通知された一割当候補端末に対して下り物理層制御チャネルを割り当てるか否かを判定する制御チャネル割当判定手段と、
前記データチャネル割当部から通知された一割当候補端末に対する下り物理層制御チャネル割当結果を前記データチャネル割当部へ通知する制御チャネル割当結果通知手段と、を有する、
ことを特徴とするチャネル割当装置。
【請求項２】
無線端末に対して上り物理層データチャネルの割り当てを行う上りデータチャネル割当部と、無線端末に対して下り物理層データチャネルの割り当てを行う下りデータチャネル割当部と、物理層データチャネルの割当候補の無線端末に対して物理層データチャネル情報を伝達する下り物理層制御チャネルの割り当てを行う制御チャネル割当部とを備えるチャネル割当装置において、
前記上りデータチャネル割当部及び前記下りデータチャネル割当部は、それぞれに、
物理層データチャネルの割当候補端末を１回の通知で１つだけ前記制御チャネル割当部へ通知する割当候補端末通知手段と、
前記制御チャネル割当部から通知された一割当候補端末に係る下り物理層制御チャネル割当結果に基づいて、該一割当候補端末に対する物理層データチャネルの割り当て可否を判定するデータチャネル割当判定手段と、
前記一割当候補端末に係る下り物理層制御チャネル割当結果に基づいて、前記制御チャネル割当部へ通知する次の一割当候補端末を判定する割当候補端末判定手段と、を有し、
前記制御チャネル割当部は、
前記上りデータチャネル割当部及び前記下りデータチャネル割当部のそれぞれから１つずつ通知された合計２つの割当候補端末に対して下り物理層制御チャネルを割り当てるか否かを判定する制御チャネル割当判定手段と、
前記２つの割当候補端末に対する下り物理層制御チャネル割当結果をそれぞれ該当する前記データチャネル割当部へ通知する制御チャネル割当結果通知手段と、を有する、
ことを特徴とするチャネル割当装置。
【請求項３】
前記制御チャネル割当部は、前記データチャネル割当部から通知された割当候補端末に係る優先情報に基づいて、前記２つの割当候補端末の中から下り物理層制御チャネルの割当対象端末を唯一つに判定する割当対象端末判定手段を有する、
ことを特徴とする請求項２に記載のチャネル割当装置。
【請求項４】
無線端末に対して物理層データチャネルの割り当てを行うデータチャネル割当部と、物理層データチャネルの割当候補の無線端末に対して物理層データチャネル情報を伝達する下り物理層制御チャネルの割り当てを行う制御チャネル割当部とを備えるチャネル割当装置におけるチャネル割当方法であって、
前記データチャネル割当部が、物理層データチャネルの割当候補端末を１回の通知で１つだけ前記制御チャネル割当部へ通知するステップと、
前記制御チャネル割当部が、前記データチャネル割当部から通知された一割当候補端末に対して下り物理層制御チャネルを割り当てるか否かを判定するステップと、
前記制御チャネル割当部が、前記データチャネル割当部から通知された一割当候補端末に対する下り物理層制御チャネル割当結果を前記データチャネル割当部へ通知するステップと、
前記データチャネル割当部が、前記制御チャネル割当部から通知された一割当候補端末に係る下り物理層制御チャネル割当結果に基づいて、該一割当候補端末に対する物理層データチャネルの割り当て可否を判定するステップと、
前記データチャネル割当部が、前記一割当候補端末に係る下り物理層制御チャネル割当結果に基づいて、前記制御チャネル割当部へ通知する次の一割当候補端末を判定するステップと、
を含むことを特徴とするチャネル割当方法。
【請求項５】
無線端末に対して上り物理層データチャネルの割り当てを行う上りデータチャネル割当部と、無線端末に対して下り物理層データチャネルの割り当てを行う下りデータチャネル割当部と、物理層データチャネルの割当候補の無線端末に対して物理層データチャネル情報を伝達する下り物理層制御チャネルの割り当てを行う制御チャネル割当部とを備えるチャネル割当装置におけるチャネル割当方法であって、
前記上りデータチャネル割当部及び前記下りデータチャネル割当部が、それぞれに、物理層データチャネルの割当候補端末を１回の通知で１つだけ前記制御チャネル割当部へ通知するステップと、
前記制御チャネル割当部が、前記上りデータチャネル割当部及び前記下りデータチャネル割当部のそれぞれから１つずつ通知された合計２つの割当候補端末に対して下り物理層制御チャネルを割り当てるか否かを判定するステップと、
前記制御チャネル割当部が、前記２つの割当候補端末に対する下り物理層制御チャネル割当結果をそれぞれ該当する前記データチャネル割当部へ通知するステップと、
前記上りデータチャネル割当部及び前記下りデータチャネル割当部が、それぞれに、前記制御チャネル割当部から通知された一割当候補端末に係る下り物理層制御チャネル割当結果に基づいて、該一割当候補端末に対する物理層データチャネルの割り当て可否を判定するステップと、
前記上りデータチャネル割当部及び前記下りデータチャネル割当部が、それぞれに、前記一割当候補端末に係る下り物理層制御チャネル割当結果に基づいて、前記制御チャネル割当部へ通知する次の一割当候補端末を判定するステップと、
を含むことを特徴とするチャネル割当方法。
【請求項６】
無線端末に対して物理層データチャネルの割り当てを行うデータチャネル割当処理と、物理層データチャネルの割当候補の無線端末に対して物理層データチャネル情報を伝達する下り物理層制御チャネルの割り当てを行う制御チャネル割当処理とを行うためのコンピュータプログラムであって、
前記データチャネル割当処理が、物理層データチャネルの割当候補端末を１回の通知で１つだけ前記制御チャネル割当処理へ通知するステップと、
前記制御チャネル割当処理が、前記データチャネル割当部から通知された一割当候補端末に対して下り物理層制御チャネルを割り当てるか否かを判定するステップと、
前記制御チャネル割当処理が、前記データチャネル割当部から通知された一割当候補端末に対する下り物理層制御チャネル割当結果を前記データチャネル割当処理へ通知するステップと、
前記データチャネル割当処理が、前記制御チャネル割当処理から通知された一割当候補端末に係る下り物理層制御チャネル割当結果に基づいて、該一割当候補端末に対する物理層データチャネルの割り当て可否を判定するステップと、
前記データチャネル割当処理が、前記一割当候補端末に係る下り物理層制御チャネル割当結果に基づいて、前記制御チャネル割当処理へ通知する次の一割当候補端末を判定するステップと、
をコンピュータに実行させるためのコンピュータプログラム。
【請求項７】
無線端末に対して上り物理層データチャネルの割り当てを行う上りデータチャネル割当処理と、無線端末に対して下り物理層データチャネルの割り当てを行う下りデータチャネル割当処理と、物理層データチャネルの割当候補の無線端末に対して物理層データチャネル情報を伝達する下り物理層制御チャネルの割り当てを行う制御チャネル割当処理部とを行うためのコンピュータプログラムであって、
前記上りデータチャネル割当処理及び前記下りデータチャネル割当処理が、それぞれに、物理層データチャネルの割当候補端末を１回の通知で１つだけ前記制御チャネル割当処理へ通知するステップと、
前記制御チャネル割当処理が、前記上りデータチャネル割当処理及び前記下りデータチャネル割当処理のそれぞれから１つずつ通知された合計２つの割当候補端末に対して下り物理層制御チャネルを割り当てるか否かを判定するステップと、
前記制御チャネル割当処理が、前記２つの割当候補端末に対する下り物理層制御チャネル割当結果をそれぞれ該当する前記データチャネル割当部へ通知するステップと、
前記上りデータチャネル割当処理及び前記下りデータチャネル割当処理が、それぞれに、前記制御チャネル割当処理から通知された一割当候補端末に係る下り物理層制御チャネル割当結果に基づいて、該一割当候補端末に対する物理層データチャネルの割り当て可否を判定するステップと、
前記上りデータチャネル割当処理及び前記下りデータチャネル割当処理が、それぞれに、前記一割当候補端末に係る下り物理層制御チャネル割当結果に基づいて、前記制御チャネル割当処理へ通知する次の一割当候補端末を判定するステップと、
をコンピュータに実行させるためのコンピュータプログラム。
【発明の詳細な説明】
【技術分野】
【０００１】
本発明は、チャネル割当装置、チャネル割当方法及びコンピュータプログラムに関する。
【背景技術】
【０００２】
近年、各標準化団体（例えば、３ＧＰＰ（3rd Generation Partnership Project）、３ＧＰＰ２（3rd Generation Partnership Project 2）、ＩＥＥＥ８０２．１６標準化団体など）で新しい無線通信システムの標準規格が検討されている。例えば、第３世代（３Ｇ）セルラシステムの後継システムとして、ＬＴＥ（Long Term Evolution：正式名称は「Evolved Universal Terrestrial Radio Access（Ｅ−ＵＴＲＡ）」である。非特許文献１、２参照）やＵＭＢ（Ultra Mobile Broadband）といった、次世代のセルラシステム（３．９Ｇセルラシステムとも呼ばれる）が検討されている。さらには、３．９Ｇセルラシステムの進化系である、ＩＭＴ−Ａｄｖａｎｃｅｄシステム（４Ｇセルラシステムとも呼ばれる）が検討されている。
【０００３】
それらの検討されている無線通信システムの中には、直交周波数分割多元接続（Orthogonal Frequency Division Multiple Access：ＯＦＤＭＡ）方式を採用するものがある。例えば、ＬＴＥ、ＵＭＢ、ＷｉＭＡＸ、さらには現在、４Ｇセルラシステム向けに検討されている、ＬＴＥ−ＡｄｖａｎｃｅｄやＩＥＥＥ８０２．１６ｍなどである。
【０００４】
ＯＦＤＭＡ方式を使用する無線通信システム（以下、ＯＦＤＭＡシステムと称する）では、利用可能な周波数帯域（以下、システム帯域と称する）内の複数のサブキャリアを移動端末に割り当てることができる。また、その割当内容は時間とともに変更することができる。したがって、一般的に、ＯＦＤＭＡシステムでは、周波数成分と時間成分から成る二次元的な無線リソースを用いて、柔軟に、無線リソースの割当を行うことができる。
【０００５】
ＬＴＥに準拠したＯＦＤＭＡシステム（以下、ＬＴＥシステムと称する）では、ＰＤＣＣＨ（Physical Downlink Control Channel）と呼ばれる下りリンク（基地局から端末へ向かう方向のリンク）の物理層の制御チャネル（以下、下り物理層制御チャネルと称する）を用いて、物理層のデータチャネルの情報を基地局から無線端末へ伝達する。上りリンク（端末から基地局へ向かう方向のリンク）の物理層のデータチャネル（以下、上り物理層データチャネルと称する）は、ＰＵＳＣＨ（Physical Uplink Shared Channel）と呼ばれる。下りリンクの物理層のデータチャネル（以下、下り物理層データチャネルと称する）は、ＰＤＳＣＨ（Physical Downlink Shared Channel）と呼ばれる。
【０００６】
ＬＴＥシステムにおいて、基地局は、ＰＵＳＣＨ又はＰＤＳＣＨを割り当てる予定の無線端末に対して、ＰＵＳＣＨ情報又はＰＤＳＣＨ情報を伝達するＰＤＣＣＨの割り当てを行う。ＰＤＣＣＨの割り当てでは、ＰＤＣＣＨ用無線リソースの割り当てが行われる。図６に、ＬＴＥシステムにおける下りリンクのサブフレーム構成を示す。図６に示されるように、下りリンクのサブフレーム（以下、下りサブフレームと称する）は、時間方向と周波数方向の２次元の無線リソース（時間方向に１４個のＯＦＤＭシンボルと周波数方向にシステム帯域幅）を有する。下りサブフレームは、時間方向で、ＰＤＣＣＨ領域とＰＤＳＣＨ領域に区分される。ＰＤＣＣＨ領域としては、時間方向の先頭から、ＯＦＤＭシンボルの１個分、２個分又は３個分のいずれかが確保される。なお、ＰＤＣＣＨ領域は、ＰＤＣＣＨ以外の他の下りリンク制御チャネル（ＰＣＦＩＣＨとＰＨＩＣＨ）にも使用される。
【０００７】
図７は、ＰＤＣＣＨ用無線リソースの割り当て方法を説明するための概念図である。ＰＤＣＣＨ用無線リソースは、ＣＣＥ（Control Channel Element）と呼ばれる無線リソース単位で割り当てられる。１個のＣＣＥは９個のＲＥＧ（Resource Element Group）から構成される。そして、図７に示すように、ＲＥＧ番号を付与する順番は時間方向が周波数方向よりも先である。一無線端末のＰＤＣＣＨに対して、ＣＣＥは１個、２個、４個又は８個が割り当てられる。このＣＣＥ数はアグリゲーションレベル（Aggregation Level）に相当する。例えば、アグリゲーションレベルが８のときは、無線端末に割り当てるＣＣＥ数は８である。また、ＬＴＥシステムでは、ある無線端末があるサブフレームで利用可能なＣＣＥの番号の集合は、該サブフレームの番号と該無線端末の番号によって一意に決まる。例えば、あるサブフレーム番号とある無線端末番号に対して、アグリゲーションレベルが４の場合のＣＣＥ番号の集合（ＣＣＥ数は４）は「１２、１３、１４、１５」と「１６、１７、１８、１９」の２通りの組合せが存在する。
【０００８】
ＰＤＣＣＨ信号は誤り訂正符号で符号化されるが、その符号化率は、当該ＰＤＣＣＨに割り当てるＣＣＥ数が多くなるほど小さくなるように定められている。符号化率はＰＤＣＣＨのペイロード長によって変化するが、例えば、ＰＤＣＣＨのペイロード長が４８の場合において、ＣＣＥ数が１のときの符号化率は２／３、ＣＣＥ数が２のときの符号化率は１／３、ＣＣＥ数が４のときの符号化率は１／６、ＣＣＥ数が８のときの符号化率は１／１２、と規定されている。
【０００９】
ＰＤＣＣＨ領域は、周波数方向の幅はシステム帯域幅で固定されるが、時間方向はＯＦＤＭシンボルの１個から３個分までの間で可変である。但し、ＰＤＣＣＨ領域においてＣＣＥを構成するＲＥＧの番号を付与する順番は時間方向が周波数方向よりも先であるために、事前に、ＰＤＣＣＨ用ＯＦＤＭシンボル数を確定しておく必要がある。図７の例では、ＰＤＣＣＨ用ＯＦＤＭシンボル数が３であり、ＯＦＤＭシンボルの３個分がＰＤＣＣＨ領域として確保されている。
【００１０】
無線端末は、ＰＤＣＣＨ用ＯＦＤＭシンボルに対してブラインド復号を行う。これは、無線端末に対して復号すべきＣＣＥ番号が通知されないことによる。無線端末がブラインド復号を行う範囲（ＣＣＥ番号の集合）は、サーチスペース（Search Space）と呼ばれる。サーチスペースを算出する計算式は規定されている。
【００１１】
ＬＴＥシステムでは、ＰＵＳＣＨ又はＰＤＳＣＨを割り当てる予定の無線端末に対してＰＤＣＣＨが割当てられないと、該無線端末にＰＵＳＣＨ情報又はＰＤＳＣＨ情報を伝達することができない。このため、例えば非特許文献３の従来技術では、ある下りサブフレームでＰＤＣＣＨを割り当てることができない場合、次の下りサブフレームでＰＤＣＣＨの割り当てを試みるようにしている。非特許文献４の従来技術では、ある下りサブフレームにおいて、無線端末に割り当てる十分なＰＤＣＣＨ用無線リソースが確保されていない場合、当該無線端末に対してＰＤＣＣＨを割り当てない。
【先行技術文献】
【非特許文献】
【００１２】
【非特許文献１】3GPP TS 36.211，“Evolved Universal Terrestrial Radio Access (E-UTRA); Physical Channels and Modulation (Release 8)”
【非特許文献２】3GPP TS 36.213，“Evolved Universal Terrestrial Radio Access (E-UTRA)； Physical layer procedures (Release 8)”
【非特許文献３】田中良紀、河崎義博、“Evolved UTRA下りリンク制御情報多重法とその特徴”、2008年電子情報通信学会ソサイエティ大会、BS-4-3、2008年9月
【非特許文献４】西尾昭彦、青山高久、Christain Wengerter、今村大地、鈴木秀俊、“3G-LTEにおける制御情報の適応送信技術”、Panasonic Technical Journal、Vol.55、No.1、４月号、2009年
【発明の概要】
【発明が解決しようとする課題】
【００１３】
上述したように、ＰＵＳＣＨ又はＰＤＳＣＨを割り当てる予定の無線端末に対し、ＰＤＣＣＨを割り当てることができる下りサブフレームまで、ＰＵＳＣＨ情報又はＰＤＳＣＨ情報を伝達することができない。すると、無線端末に割り当てる予定のＰＵＳＣＨ又はＰＤＳＣＨを使用することができないので、該無線端末に対してＰＵＳＣＨ用又はＰＤＳＣＨ用に割り当てた無線リソースが無駄になってしまう。
【００１４】
本発明は、このような事情を考慮してなされたもので、その目的は、物理層データチャネル（ＰＵＳＣＨ、ＰＤＳＣＨ）用の無線リソースの利用効率を向上させることのできるチャネル割当装置、チャネル割当方法及びコンピュータプログラムを提供することにある。
【課題を解決するための手段】
【００１５】
上記の課題を解決するために、本発明に係るチャネル割当装置は、無線端末に対して物理層データチャネルの割り当てを行うデータチャネル割当部と、物理層データチャネルの割当候補の無線端末に対して物理層データチャネル情報を伝達する下り物理層制御チャネルの割り当てを行う制御チャネル割当部とを備えるチャネル割当装置において、前記データチャネル割当部は、物理層データチャネルの割当候補端末を１回の通知で１つだけ前記制御チャネル割当部へ通知する割当候補端末通知手段と、前記制御チャネル割当部から通知された一割当候補端末に係る下り物理層制御チャネル割当結果に基づいて、該一割当候補端末に対する物理層データチャネルの割り当て可否を判定するデータチャネル割当判定手段と、前記一割当候補端末に係る下り物理層制御チャネル割当結果に基づいて、前記制御チャネル割当部へ通知する次の一割当候補端末を判定する割当候補端末判定手段と、を有し、前記制御チャネル割当部は、前記データチャネル割当部から通知された一割当候補端末に対して下り物理層制御チャネルを割り当てるか否かを判定する制御チャネル割当判定手段と、前記データチャネル割当部から通知された一割当候補端末に対する下り物理層制御チャネル割当結果を前記データチャネル割当部へ通知する制御チャネル割当結果通知手段と、を有することを特徴とする。
【００１６】
本発明に係るチャネル割当装置は、無線端末に対して上り物理層データチャネルの割り当てを行う上りデータチャネル割当部と、無線端末に対して下り物理層データチャネルの割り当てを行う下りデータチャネル割当部と、物理層データチャネルの割当候補の無線端末に対して物理層データチャネル情報を伝達する下り物理層制御チャネルの割り当てを行う制御チャネル割当部とを備えるチャネル割当装置において、前記上りデータチャネル割当部及び前記下りデータチャネル割当部は、それぞれに、物理層データチャネルの割当候補端末を１回の通知で１つだけ前記制御チャネル割当部へ通知する割当候補端末通知手段と、前記制御チャネル割当部から通知された一割当候補端末に係る下り物理層制御チャネル割当結果に基づいて、該一割当候補端末に対する物理層データチャネルの割り当て可否を判定するデータチャネル割当判定手段と、前記一割当候補端末に係る下り物理層制御チャネル割当結果に基づいて、前記制御チャネル割当部へ通知する次の一割当候補端末を判定する割当候補端末判定手段と、を有し、前記制御チャネル割当部は、前記上りデータチャネル割当部及び前記下りデータチャネル割当部のそれぞれから１つずつ通知された合計２つの割当候補端末に対して下り物理層制御チャネルを割り当てるか否かを判定する制御チャネル割当判定手段と、前記２つの割当候補端末に対する下り物理層制御チャネル割当結果をそれぞれ該当する前記データチャネル割当部へ通知する制御チャネル割当結果通知手段と、を有することを特徴とする。
【００１７】
本発明に係るチャネル割当装置においては、前記制御チャネル割当部は、前記データチャネル割当部から通知された割当候補端末に係る優先情報に基づいて、前記２つの割当候補端末の中から下り物理層制御チャネルの割当対象端末を唯一つに判定する割当対象端末判定手段を有することを特徴とする。
【００１８】
本発明に係るチャネル割当方法は、無線端末に対して物理層データチャネルの割り当てを行うデータチャネル割当部と、物理層データチャネルの割当候補の無線端末に対して物理層データチャネル情報を伝達する下り物理層制御チャネルの割り当てを行う制御チャネル割当部とを備えるチャネル割当装置におけるチャネル割当方法であって、前記データチャネル割当部が、物理層データチャネルの割当候補端末を１回の通知で１つだけ前記制御チャネル割当部へ通知するステップと、前記制御チャネル割当部が、前記データチャネル割当部から通知された一割当候補端末に対して下り物理層制御チャネルを割り当てるか否かを判定するステップと、前記制御チャネル割当部が、前記データチャネル割当部から通知された一割当候補端末に対する下り物理層制御チャネル割当結果を前記データチャネル割当部へ通知するステップと、前記データチャネル割当部が、前記制御チャネル割当部から通知された一割当候補端末に係る下り物理層制御チャネル割当結果に基づいて、該一割当候補端末に対する物理層データチャネルの割り当て可否を判定するステップと、前記データチャネル割当部が、前記一割当候補端末に係る下り物理層制御チャネル割当結果に基づいて、前記制御チャネル割当部へ通知する次の一割当候補端末を判定するステップと、を含むことを特徴とする。
【００１９】
本発明に係るチャネル割当方法は、無線端末に対して上り物理層データチャネルの割り当てを行う上りデータチャネル割当部と、無線端末に対して下り物理層データチャネルの割り当てを行う下りデータチャネル割当部と、物理層データチャネルの割当候補の無線端末に対して物理層データチャネル情報を伝達する下り物理層制御チャネルの割り当てを行う制御チャネル割当部とを備えるチャネル割当装置におけるチャネル割当方法であって、前記上りデータチャネル割当部及び前記下りデータチャネル割当部が、それぞれに、物理層データチャネルの割当候補端末を１回の通知で１つだけ前記制御チャネル割当部へ通知するステップと、前記制御チャネル割当部が、前記上りデータチャネル割当部及び前記下りデータチャネル割当部のそれぞれから１つずつ通知された合計２つの割当候補端末に対して下り物理層制御チャネルを割り当てるか否かを判定するステップと、前記制御チャネル割当部が、前記２つの割当候補端末に対する下り物理層制御チャネル割当結果をそれぞれ該当する前記データチャネル割当部へ通知するステップと、前記上りデータチャネル割当部及び前記下りデータチャネル割当部が、それぞれに、前記制御チャネル割当部から通知された一割当候補端末に係る下り物理層制御チャネル割当結果に基づいて、該一割当候補端末に対する物理層データチャネルの割り当て可否を判定するステップと、前記上りデータチャネル割当部及び前記下りデータチャネル割当部が、それぞれに、前記一割当候補端末に係る下り物理層制御チャネル割当結果に基づいて、前記制御チャネル割当部へ通知する次の一割当候補端末を判定するステップと、を含むことを特徴とする。
【００２０】
本発明に係るコンピュータプログラムは、無線端末に対して物理層データチャネルの割り当てを行うデータチャネル割当処理と、物理層データチャネルの割当候補の無線端末に対して物理層データチャネル情報を伝達する下り物理層制御チャネルの割り当てを行う制御チャネル割当処理とを行うためのコンピュータプログラムであって、前記データチャネル割当処理が、物理層データチャネルの割当候補端末を１回の通知で１つだけ前記制御チャネル割当処理へ通知するステップと、前記制御チャネル割当処理が、前記データチャネル割当部から通知された一割当候補端末に対して下り物理層制御チャネルを割り当てるか否かを判定するステップと、前記制御チャネル割当処理が、前記データチャネル割当部から通知された一割当候補端末に対する下り物理層制御チャネル割当結果を前記データチャネル割当処理へ通知するステップと、前記データチャネル割当処理が、前記制御チャネル割当処理から通知された一割当候補端末に係る下り物理層制御チャネル割当結果に基づいて、該一割当候補端末に対する物理層データチャネルの割り当て可否を判定するステップと、前記データチャネル割当処理が、前記一割当候補端末に係る下り物理層制御チャネル割当結果に基づいて、前記制御チャネル割当処理へ通知する次の一割当候補端末を判定するステップと、をコンピュータに実行させるためのコンピュータプログラムであることを特徴とする。
これにより、前述のチャネル割当装置がコンピュータを利用して実現できるようになる。
【００２１】
本発明に係るコンピュータプログラムは、無線端末に対して上り物理層データチャネルの割り当てを行う上りデータチャネル割当処理と、無線端末に対して下り物理層データチャネルの割り当てを行う下りデータチャネル割当処理と、物理層データチャネルの割当候補の無線端末に対して物理層データチャネル情報を伝達する下り物理層制御チャネルの割り当てを行う制御チャネル割当処理部とを行うためのコンピュータプログラムであって、前記上りデータチャネル割当処理及び前記下りデータチャネル割当処理が、それぞれに、物理層データチャネルの割当候補端末を１回の通知で１つだけ前記制御チャネル割当処理へ通知するステップと、前記制御チャネル割当処理が、前記上りデータチャネル割当処理及び前記下りデータチャネル割当処理のそれぞれから１つずつ通知された合計２つの割当候補端末に対して下り物理層制御チャネルを割り当てるか否かを判定するステップと、前記制御チャネル割当処理が、前記２つの割当候補端末に対する下り物理層制御チャネル割当結果をそれぞれ該当する前記データチャネル割当部へ通知するステップと、前記上りデータチャネル割当処理及び前記下りデータチャネル割当処理が、それぞれに、前記制御チャネル割当処理から通知された一割当候補端末に係る下り物理層制御チャネル割当結果に基づいて、該一割当候補端末に対する物理層データチャネルの割り当て可否を判定するステップと、前記上りデータチャネル割当処理及び前記下りデータチャネル割当処理が、それぞれに、前記一割当候補端末に係る下り物理層制御チャネル割当結果に基づいて、前記制御チャネル割当処理へ通知する次の一割当候補端末を判定するステップと、をコンピュータに実行させるためのコンピュータプログラムであることを特徴とする。
これにより、前述のチャネル割当装置がコンピュータを利用して実現できるようになる。
【発明の効果】
【００２２】
本発明によれば、物理層データチャネル（ＰＵＳＣＨ、ＰＤＳＣＨ）用の無線リソースの利用効率を向上させることができるという効果が得られる。
【図面の簡単な説明】
【００２３】
【図１】本発明の一実施形態に係るＬＴＥシステムの基地局に具備されるチャネル割当装置１の構成を示すブロック図である。
【図２】図１に示すチャネル割当装置１によるチャネル割当処理の全体の流れを示すシーケンスチャートである。
【図３】図１に示すＰＤＣＣＨ割当部１０の構成を示すブロック図である。
【図４】本発明の一実施形態に係る制御チャネル割当方法の手順を示すフローチャートである。
【図５】本発明の一実施形態に係る制御チャネル割当方法の手順を示すフローチャートである。
【図６】ＬＴＥシステムにおける下りリンクのサブフレーム構成を示す図である。
【図７】ＰＤＣＣＨ用無線リソースの割り当て方法を説明するための概念図である。
【発明を実施するための形態】
【００２４】
以下、図面を参照し、本発明の実施形態について説明する。
図１は、本発明の一実施形態に係るＬＴＥシステムの基地局に具備されるチャネル割当装置１の構成を示すブロック図である。図１において、チャネル割当装置１は、ＰＤＣＣＨ（下り物理層制御チャネル）割当部１０とＰＤＳＣＨ（下り物理層データチャネル）割当部１１とＰＵＳＣＨ（上り物理層データチャネル）割当部１２を備える。
【００２５】
ＰＤＣＣＨ割当部１０は、ＰＵＳＣＨ又はＰＤＳＣＨが割り当てられる予定の無線端末（割当候補端末）に対して、ＰＵＳＣＨ情報又はＰＤＳＣＨ情報を伝達するＰＤＣＣＨの割り当てを行う。ＰＤＳＣＨ割当部１１は、無線端末に対するＰＤＳＣＨの割り当てを行う。ＰＵＳＣＨ割当部１２は、無線端末に対するＰＵＳＣＨの割り当てを行う。
【００２６】
図２は、図１に示すチャネル割当装置１によるチャネル割当処理の全体の流れを示すシーケンスチャートである。
チャネル割当装置１は、物理層データチャネルの割当タイミングになると、図２のチャネル割当処理を開始する。図２において、ステップＳ１００では、ＰＤＳＣＨ割当部１１及びＰＵＳＣＨ割当部１２が、それぞれに、割当候補端末を判定する。ＰＤＳＣＨ割当部１１は、ＰＤＳＣＨの割当候補端末を１つ決定する。ＰＵＳＣＨ割当部１２は、ＰＵＳＣＨの割当候補端末を１つ決定する。
【００２７】
次いで、ステップＳ１０１では、ＰＤＳＣＨ割当部１１及びＰＵＳＣＨ割当部１２が、それぞれに、一割当候補端末に係るＣＣＥ割当判定情報をＰＤＣＣＨ割当部１０へ送る。ＣＣＥ割当判定情報は、一割当候補端末の識別子（端末ＩＤ）と該割当候補端末の優先情報と該割当候補端末の受信品質推定値を有する。割当候補端末の優先情報には、ＣＣＥ割当優先度とプライオリティ値とがある。ＣＣＥ割当優先度は、ＣＣＥを割り当てる際の優先度であって、チャネル種別に関するものやパケット種別に関するものがある。チャネル種別に関するＣＣＥ割当優先度は、割当候補端末に割り当て予定の物理層データチャネル（ＰＵＳＣＨ又はＰＤＳＣＨ）で伝送予定である上位層（例えば、ＲＲＣ層）のチャネル、の種類（例えば、制御チャネルとデータチャネル）ごとの優先度である。パケット種別に関するＣＣＥ割当優先度は、割当候補端末に割り当て予定の物理層データチャネル（ＰＵＳＣＨ又はＰＤＳＣＨ）で伝送予定であるパケット、の種類（例えば、初送パケットと再送パケット）ごとの優先度である。プライオリティ値は、割当候補端末に関する優先度であって、プロポーショナルフェアネスの評価関数値に基づくものや通信遅延等の通信品質に基づくものがある。割当候補端末の受信品質推定値には、ＳＩＮＲ（Signal to Interference and Noise power Ratio）の推定値を使用する。ＳＩＮＲは、無線端末の受信品質を表す。
【００２８】
なお、ＰＤＳＣＨ割当部１１及びＰＵＳＣＨ割当部１２は、それぞれに、ＰＤＣＣＨ割当部１０に対して、物理層データチャネルの割当候補端末を１回の通知（ステップＳ１０１）で１つだけ通知する。
【００２９】
次いで、ステップＳ１０２では、ＰＤＣＣＨ割当部１０が、ＰＤＳＣＨ割当部１１及びＰＵＳＣＨ割当部１２のそれぞれから受信したＣＣＥ割当判定情報で１つずつ通知された合計２つの割当候補端末に対して、それぞれにＰＤＣＣＨを割り当てるか否かを判定する。次いで、ステップＳ１０３では、ＰＤＣＣＨ割当部１０が、それら２つの割当候補端末に対するそれぞれのＰＤＣＣＨ割当結果（ＣＣＥ割当成否情報）をそれぞれ該当するデータチャネル割当部１１、１２へ通知する。
【００３０】
次いで、ステップＳ１０４では、ＰＤＳＣＨ割当部１１及びＰＵＳＣＨ割当部１２が、それぞれに、ＰＤＣＣＨ割当部１０からＣＣＥ割当成否情報で通知された一割当候補端末に係るＰＤＣＣＨ割当結果に基づいて、該一割当候補端末に対する物理層データチャネルの割り当て可否を判定する。ＰＤＳＣＨ割当部１１は、ＣＣＥ割当成否情報でＰＤＣＣＨ割当結果が通知されたＰＤＳＣＨの一割当候補端末に対して、ＰＤＣＣＨ割当可ならばＰＤＳＣＨの割り当てを行い、一方、ＰＤＣＣＨ割当不可ならばＰＤＳＣＨの割り当てを行わない。ＰＵＳＣＨ割当部１２は、ＣＣＥ割当成否情報でＰＤＣＣＨ割当結果が通知されたＰＵＳＣＨの一割当候補端末に対して、ＰＤＣＣＨ割当可ならばＰＵＳＣＨの割り当てを行い、一方、ＰＤＣＣＨ割当不可ならばＰＵＳＣＨの割り当てを行わない。
【００３１】
次いで、ステップＳ１００では、ＰＤＳＣＨ割当部１１及びＰＵＳＣＨ割当部１２が、それぞれに、ＰＤＣＣＨ割当部１０からＣＣＥ割当成否情報で通知された一割当候補端末に係るＰＤＣＣＨ割当結果に基づいて、ＰＤＣＣＨ割当部１０へ通知する次の一割当候補端末を判定する。このとき、ＰＤＳＣＨ割当部１１及びＰＵＳＣＨ割当部１２は、それぞれに、割当候補端末がない場合には、割当終了メッセージをＰＤＣＣＨ割当部１０へ送る（ステップＳ１１０）。割当候補端末がない場合とは、割当候補端末となり得る無線端末が存在しない場合や、ＰＤＳＣＨ割当部１１においてＰＤＳＣＨ用に割当可能な無線リソースがなくなった場合や、ＰＵＳＣＨ割当部１２においてＰＵＳＣＨ用に割当可能な無線リソースがなくなった場合、などである。
【００３２】
なお、ＰＤＣＣＨ割当部１０は、ＰＤＣＣＨ用に割当可能なＣＣＥがなくなった場合、ＣＣＥ割当終了メッセージ（図示せず）をＰＤＳＣＨ割当部１１及びＰＵＳＣＨ割当部１２へ送る。ＰＤＳＣＨ割当部１１及びＰＵＳＣＨ割当部１２は、ＣＣＥ割当終了メッセージの受信により、物理層データチャネル割当対象のサブフレームにおける新たな割当候補端末の判定を停止する。
【００３３】
チャネル割当装置１は、上述のステップＳ１００〜Ｓ１０４を、ＰＤＳＣＨの割当候補端末となり得る無線端末およびＰＵＳＣＨの割当候補端末となり得る無線端末の両方がなくなるか、又は、ＰＤＣＣＨ用に割当可能なＣＣＥがなくなるまで、繰り返す。この後、ＰＤＳＣＨ割当部１１はＰＤＳＣＨ割当結果を出力し、ＰＵＳＣＨ割当部１２はＰＵＳＣＨ割当結果を出力する。
【００３４】
図３は、図１に示すＰＤＣＣＨ割当部１０の構成を示すブロック図である。図３において、ＰＤＣＣＨ割当部１０は、入力情報取得部２１とアグリゲーションレベル決定部２２とＣＣＥ割当部２３とサーチスペース管理部２４と出力情報作成部２５を有する。
【００３５】
入力情報取得部２１は、ＰＤＣＣＨ割当部１０で使用する入力情報を取得する。アグリゲーションレベル決定部２２は、アグリゲーションレベルを決定する。アグリゲーションレベルは、一無線端末のＰＤＣＣＨに割り当てるＣＣＥ数（１個、２個、４個又は８個）及び符号化率（本実施形態ではＰＤＣＣＨのペイロード長が４８であるとし、２／３、１／３、１／６又は１／１２）を表す。アグリゲーションレベル（ｚ＝１）は「ＣＣＥ数＝１、符号化率＝２／３」に対応し、アグリゲーションレベル（ｚ＝２）は「ＣＣＥ数＝２、符号化率＝１／３」に対応し、アグリゲーションレベル（ｚ＝４）は「ＣＣＥ数＝４、符号化率＝１／６」に対応し、アグリゲーションレベル（ｚ＝８）は「ＣＣＥ数＝８、符号化率＝１／１２」に対応する。従って、アグリゲーションレベルによって、ある無線端末のＰＤＣＣＨに割り当てるＣＣＥ数と該ＰＤＣＣＨ用の符号化率が定まる。
【００３６】
ＣＣＥ割当部２３は、ＰＵＳＣＨ又はＰＤＳＣＨの割当候補端末に対して、ＣＣＥの割り当てを行う。ＣＣＥの割り当てが成功した割当候補端末には、ＰＤＣＣＨが確保されたことになる。サーチスペース管理部２４は、サーチスペースの探索を行う。出力情報作成部２５は、ＣＣＥ割当成否情報及びＣＣＥ割当終了メッセージを作成する。ＣＣＥ割当成否情報は、ＰＵＳＣＨ又はＰＤＳＣＨの割当候補端末に対する、ＣＣＥの割り当ての成否の情報を有する。
【００３７】
次に、図４及び図５を参照して、図３に示すＰＤＣＣＨ割当部１０の動作を説明する。図４及び図５は、本実施形態に係る制御チャネル割当方法の手順を示すフローチャートである。
【００３８】
ＰＤＣＣＨ割当部１０は、ある下りサブフレームのＰＤＣＣＨ割当タイミングになると、該下りサブフレームにおけるＰＤＣＣＨ割り当てを行う処理として図４及び図５の制御チャネル割当処理を開始する。
【００３９】
図４において、ステップＳ１では、入力情報取得部２１がＰＤＣＣＨ用ＯＦＤＭシンボル数を取得し、ＣＣＥ割当部２３が該ＰＤＣＣＨ用ＯＦＤＭシンボル数を用いてＣＣＥ上限量を設定する。ＰＤＣＣＨ用ＯＦＤＭシンボル数は、例えば、オペレータから指定される。ＣＣＥ上限量は、ＰＤＣＣＨ割当対象の下りサブフレームでＰＤＣＣＨ用に使用可能な無線リソース総量（ＰＤＣＣＨ用ＯＦＤＭシンボル数とシステム帯域幅で定まる無線リソース量）に相当するＣＣＥ数（つまり、図６に示されるＰＤＣＣＨ領域に含まれるＣＣＥ総数）から、他の下りリンク制御チャネル（ＰＣＦＩＣＨとＰＨＩＣＨ）で使用されるＣＣＥ数を引いた数である。
【００４０】
次いで、ステップＳ２では、ＣＣＥ割当部２３が、割当可能なＣＣＥがまだ残っているかを確認する。この結果、割当可能なＣＣＥがまだ残っている場合にはステップＳ４に進み、割当可能なＣＣＥがない場合にはステップＳ３に進む。
【００４１】
ステップＳ３では、出力情報作成部２５が、ＣＣＥ割当終了メッセージをＰＤＳＣＨ割当部１１及びＰＵＳＣＨ割当部１２へ出力する。この後、本制御チャネル割当処理を終了する。
【００４２】
ステップＳ４では、入力情報取得部２１が、ＰＤＳＣＨ割当部１１及びＰＵＳＣＨ割当部１２からの受信待ちの状態となる。ステップＳ５では、入力情報取得部２１が、ＰＤＳＣＨ割当部１１及びＰＵＳＣＨ割当部１２の両方から、ＣＣＥ割当判定情報又は割当終了メッセージを受信したか、を確認する。この結果、ＰＤＳＣＨ割当部１１及びＰＵＳＣＨ割当部１２の両方から、ＣＣＥ割当判定情報又は割当終了メッセージを受信した場合には、ステップＳ６に進む。一方、ＰＤＳＣＨ割当部１１又はＰＵＳＣＨ割当部１２のいずれかから、ＣＣＥ割当判定情報も割当終了メッセージも受信していない場合には、ステップＳ４に戻る。
【００４３】
次いで、ステップＳ６では、入力情報取得部２１が、ＰＤＳＣＨ割当部１１及びＰＵＳＣＨ割当部１２の両方から割当終了メッセージを受信したか、を確認する。この結果、ＰＤＳＣＨ割当部１１及びＰＵＳＣＨ割当部１２の両方から、割当終了メッセージを受信した場合には、本制御チャネル割当処理を終了する。一方、ＰＤＳＣＨ割当部１１又はＰＵＳＣＨ割当部１２のいずれかから、割当終了メッセージを受信していない場合には、ステップＳ７に進む。
【００４４】
次いで、ステップＳ７では、入力情報取得部２１が、ＰＤＳＣＨ割当部１１及びＰＵＳＣＨ割当部１２の両方からＣＣＥ割当判定情報を受信したか、を確認する。この結果、ＰＤＳＣＨ割当部１１及びＰＵＳＣＨ割当部１２の両方からＣＣＥ割当判定情報を受信した場合には、ステップＳ９に進む。一方、ＰＤＳＣＨ割当部１１又はＰＵＳＣＨ割当部１２のいずれかから、ＣＣＥ割当判定情報を受信していない場合には、ステップＳ８に進む。
【００４５】
ステップＳ８では、ＣＣＥ割当部２３が、ＰＤＳＣＨ割当部１１又はＰＵＳＣＨ割当部１２のいずれか割当終了メッセージを受信していない方から受信したＣＣＥ割当判定情報で通知された一割当候補端末を、ＰＤＣＣＨの割当対象端末（以下、選択端末と称する）として選択する。この後、図５のステップＳ２１へ進む。
【００４６】
ステップＳ９では、ＣＣＥ割当部２３が、ＰＤＳＣＨ割当部１１及びＰＵＳＣＨ割当部１２からそれぞれ受信したＣＣＥ割当判定情報で通知されたＣＣＥ割当優先度同士を比較する。この結果、両方のＣＣＥ割当優先度が、同一である場合にはステップＳ１０へ進み、異なる場合にはステップＳ１１へ進む。
【００４７】
ステップＳ１０では、ＣＣＥ割当部２３が、ＰＤＳＣＨ割当部１１及びＰＵＳＣＨ割当部１２からそれぞれ受信したＣＣＥ割当判定情報で通知されたプライオリティ値の大きい方の、ＣＣＥ割当判定情報で通知された一割当候補端末を、選択端末として選択する。この後、図５のステップＳ２１へ進む。
【００４８】
ステップＳ１１では、ＣＣＥ割当部２３が、ＣＣＥ割当優先度の高い方のＣＣＥ割当判定情報で通知された一割当候補端末を、選択端末として選択する。この後、図５のステップＳ２１へ進む。
【００４９】
上記ステップＳ８、Ｓ１０又はＳ１１のいずれかにより、選択端末が１つだけ選ばれる。次いで、図５のステップＳ２１では、入力情報取得部２１が、選択端末のＳＩＮＲ推定値を該当のＣＣＥ割当判定情報から取得する。
【００５０】
次いで、ステップＳ２２では、アグリゲーションレベル決定部２２が、選択端末のＳＩＮＲ推定値とＳＩＮＲ基準値を比較する。ＳＩＮＲ基準値は、アグリゲーションレベルごとに設けられる。あるアグリゲーションレベルに対応するＳＩＮＲ基準値は、該アグリゲーションレベルで定まる符号化率によって、ある誤り率を達成することができるＳＩＮＲの閾値である。
【００５１】
アグリゲーションレベル（ｚ）を示すパラメータ（ｚ’）に対応するＳＩＮＲ基準値（ｚ’）は、次式の関係を有する。
ＳＩＮＲ基準値（ｚ’）＜ＳＩＮＲ基準値（ｚ’−１）
但し、ｚ’は１、２、３、４のいずれかである。「ｚ’＝１」は「ＣＣＥ数＝１」のアグリゲーションレベル（１）を示し、「ｚ’＝２」は「ＣＣＥ数＝２」のアグリゲーションレベル（２）を示し、「ｚ’＝３」は「ＣＣＥ数＝４」のアグリゲーションレベル（４）を示し、「ｚ’＝４」は「ＣＣＥ数＝８」のアグリゲーションレベル（８）を示す。従って、ＣＣＥ数が多くて符号化率が低いアグリゲーションレベルのＳＩＮＲ基準値の方が、小さい値である。
【００５２】
アグリゲーションレベル決定部２２は、選択端末のＳＩＮＲ推定値を各アグリゲーションレベルのＳＩＮＲ基準値と順次比較する。
【００５３】
次いで、ステップＳ２３では、アグリゲーションレベル決定部２２が、ステップＳ２２の比較結果に基づいて、選択端末のアグリゲーションレベルを判定する。このアグリゲーションレベルの判定は、ＳＩＮＲ推定値が、どのアグリゲーションレベルのＳＩＮＲ基準値とどのアグリゲーションレベルのＳＩＮＲ基準値の間にあるのかを判定することで行う。具体的には、「ＳＩＮＲ基準値（ｚ’）≦ＳＩＮＲ推定値＜ＳＩＮＲ基準値（ｚ’−１）」を満足する場合に、ＳＩＮＲ基準値（ｚ’）のアグリゲーションレベル（ｚ）を選択端末に適用する（但し、ＳＩＮＲ基準値（０）はない）。
【００５４】
次いで、ステップＳ２４では、サーチスペース管理部２４が、選択端末に対応するサーチスペースにおいて、選択端末のアグリゲーションレベル（ｚ）のＣＣＥ数分の空きのＣＣＥがあるかを探索する。この探索の結果、該ＣＣＥ数分の空きのＣＣＥがある場合には（ステップＳ２５、ＹＥＳ）、ステップＳ２６に進む。
【００５５】
ステップＳ２６では、ＣＣＥ割当部２３が、ステップＳ２４で発見された、選択端末のアグリゲーションレベル（ｚ）のＣＣＥ数分の空きのＣＣＥを、選択端末に割り当てる。このとき、選択端末のアグリゲーションレベル（ｚ）のＣＣＥ数よりも多いＣＣＥの空きがある場合には、サーチスペースの先頭ＣＣＥ番号からアグリゲーションレベル（ｚ）分のＣＣＥ数を単位として、無作為に選択する。この後、ステップＳ２７に進む。この場合、選択端末に対するＣＣＥ割当は成功であり、ＰＤＣＣＨ割当可となる。
【００５６】
一方、ステップＳ２４のサーチスペースの探索の結果、選択端末のアグリゲーションレベル（ｚ）のＣＣＥ数分の空きのＣＣＥがない場合には（ステップＳ２５、ＮＯ）、ＣＣＥ割当部２３は選択端末にＣＣＥを割り当てず、ステップＳ２７に進む。この場合、選択端末に対するＣＣＥ割当は失敗であり、ＰＤＣＣＨ割当不可となる。
【００５７】
次いで、ステップＳ２７では、出力情報作成部２５が、ＣＣＥ割当成否情報を作成し出力する。選択端末に選ばれた割当候補端末の通知元へ送るＣＣＥ割当成否情報は、該選択端末に係るＣＣＥ割当の成否を示す情報である。一方、選択端末に選ばれなかった割当候補端末の通知元へ送るＣＣＥ割当成否情報は、ＣＣＥ割当の失敗を示す情報である。この後、図４のステップＳ２へ戻る。
【００５８】
上述したように本実施形態によれば、ＰＤＳＣＨ又はＰＵＳＣＨの割当候補端末に対するＰＤＣＣＨ割当結果を１つ１つ確認しながら、ＰＤＳＣＨの割り当て及びＰＵＳＣＨの割り当てを行うことができる。これにより、ＰＤＣＣＨの割り当てができないことによる、ＰＵＳＣＨ用無線リソースやＰＤＳＣＨ用無線リソースの浪費をなくすことができるようになり、物理層データチャネル（ＰＵＳＣＨ、ＰＤＳＣＨ）用の無線リソースの利用効率を向上させることが可能となる。
【００５９】
なお、図２、図４、図５に示す各ステップを実現するためのプログラムをコンピュータ読み取り可能な記録媒体に記録して、この記録媒体に記録されたプログラムをコンピュータシステムに読み込ませ、実行することにより、チャネル割当処理（データチャネル割当処理、制御チャネル割当処理）を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６１】
以上、本発明の実施形態について図面を参照して詳述してきたが、具体的な構成はこの実施形態に限られるものではなく、本発明の要旨を逸脱しない範囲の設計変更等も含まれる。
例えば、図４及び図５に示す制御チャネル割当方法において、ＳＩＮＲ基準値は、「PDCCH DCI format」ごとに設けるようにしてもよい。「PDCCH DCI format」は、無線端末に送信するパケットの種別を表すフォーマット番号である。
【００６２】
なお、無線端末の受信品質を表す情報として、上述の実施形態ではＳＩＮＲを用いたが、ＳＩＮＲ以外の情報を用いるようにしてもよい。
【符号の説明】
【００６３】
１…チャネル割当装置、１０…ＰＤＣＣＨ割当部、１１…ＰＤＳＣＨ割当部、１２…ＰＵＳＣＨ割当部、２１…入力情報取得部、２２…アグリゲーションレベル決定部、２３…ＣＣＥ割当部、２４…サーチスペース管理部、２５…出力情報作成部
【図１】
2011029769.tif 000003
【図２】
2011029769.tif 000004
【図３】
2011029769.tif 000005
【図４】
2011029769.tif 000006
【図５】
2011029769.tif 000007
【図６】
2011029769.tif 000008
【図７】
2011029769.tif 000009